(57)【要約】      （修正有）【課題】目標物の位置に加えて目標物の接触状態を検出する車載用アクセサリ制御装置を提供する。【解決手段】パターン記憶部には、総ての検出領域（ｘｎ，ｙｍ）（ｎ＝１〜ｎ、ｍ＝１〜ｍ）のそれぞれについて、目標物の接触位置および接触状態を検出するための容量変化パターンが記憶されている。制御回路は、各検出領域の容量変化値を検出し、ｘｙ平面上での容量変化値の分布を表す容量変化値ｘｙ分布を求める。制御回路は、パターン記憶部を参照し、予め記憶された複数の容量変化パターンの中から、自らが求めた容量変化値ｘｙ分布が当てはまる容量変化パターンを選択する。そして、選択された容量変化パターンに基づいて、目標物の接触状態を検出すると共に目標物の接触位置を検出する。制御回路は、検出された接触位置および状態に応じた機能をアクセサリ機器に実行させる。【選択図】図７
2017151531.tif 000002
【特許請求の範囲】
【請求項１】
第１方向について目標物の位置を検出するための第１電極群と、
前記第１方向と交差する第２方向について目標物の位置を検出するための第２電極群と、
前記第１電極群に含まれる複数の電極、および前記第２電極群に含まれる複数の電極についての電極間静電容量の変化パターンに基づいて、車載用アクセサリ機器を制御する制御部と、を備えることを特徴とする車載用アクセサリ制御装置。
【請求項２】
第１方向について目標物の位置を検出するための第１電極群と、
前記第１方向と交差する第２方向について目標物の位置を検出するための第２電極群と、
一方の板面側に前記第１電極群が配置され、他方の板面側に前記第２電極群が配置された弾力性のある板状部材と、を備え、
前記第１電極群および前記第２電極群は、前記板状部材と共に変形自在であり、前記第１電極群に含まれる電極と、前記第２電極群に含まれる電極との間の距離が、前記板状部材の変形によって変化することを特徴とする車載用アクセサリ制御装置。
【請求項３】
請求項２に記載の車載用アクセサリ制御装置において、
前記第１電極群に含まれる複数の電極、および前記第２電極群に含まれる複数の電極についての電極間静電容量の変化パターンに基づいて車載用アクセサリ機器を制御する制御部を備えることを特徴とする車載用アクセサリ制御装置。
【発明の詳細な説明】
【技術分野】
【０００１】
本発明は、車載用アクセサリ制御装置に関し、特に、目標物の位置を検出するための電極群を備える装置に関する。
【背景技術】
【０００２】
自動車には、オーディオ装置、エアコンディショナ、ルームライト、パワーウィンドウ、ウインカ等のアクセサリ機器が搭載されている。アクセサリ機器の操作は、多くの場合、車室のコンソールに設けられた操作パネルによって行われる。従来、アクセサリ機器の操作パネルには、押しボタン式のスイッチや、回転つまみ式のロータリスイッチ、回転つまみ式のボリューム等が広く用いられていた。
【０００３】
近年、車室の居住性を向上させるため、操作パネルには様々な工夫が凝らされている。例えば、乗員がパネルをなぞったり、軽く触れたりするだけでアクセサリ機器の操作が行われるスイッチ（タッチセンサ）が広く用いられている。特許文献１には、このようなスイッチとして、複数のセンサ電極が設けられ、各センサ電極の静電容量の変化に基づいてアクセサリ機器を操作するスイッチが記載されている。特許文献１に記載のスイッチでは、車室のインストルメントパネルに乗員が触れる領域が設けられている。この領域の裏側には、センサ電極が固定されたフレキシブル基板が設けられている。各センサ電極は、フレキシブル基板に設けられた配線を介してアクセサリ機器の制御コントローラに接続されている。
【０００４】
特許文献２および３には、静電容量の変化を検出するタッチセンサが記載されている。このタッチセンサでは、縦方向に伸びた複数の電極が横方向に並べて基板に配置され、横方向に伸びた複数の電極が縦方向に並べて基板に配置されている。縦方向に伸びる各電極と横方向に伸びる各電極は電気的に絶縁された上で交差している。縦方向に伸びる複数の電極、および横方向に伸びる複数の電極について、電極間の静電容量が変化した縦横の電極の組を検出することで、人体、導電性の指示棒等の目標物が触れた位置が検出される。そして、目標物の位置に対応付けられた動作をアクセサリ機器に実行させる。
【先行技術文献】
【特許文献】
【０００５】
【特許文献１】特開２００９−４３４７３号公報
【特許文献２】特開２０１０−２１１８２３号公報
【特許文献３】特開２０１４−７０６９号公報
【発明の概要】
【発明が解決しようとする課題】
【０００６】
特許文献２および３に見られるようなタッチセンサでは、目標物が触れた位置が検出されるものの、目標物が押し付けられている状態等の接触状態を検出することは困難である。そのため、タッチセンサを用いてアクセサリ機器に多様な動作をさせることが困難な場合があった。
【０００７】
本発明は、目標物の位置に加えて目標物の接触状態を検出することを目的とする。
【課題を解決するための手段】
【０００８】
本発明は、第１方向について目標物の位置を検出するための第１電極群と、前記第１方向と交差する第２方向について目標物の位置を検出するための第２電極群と、前記第１電極群に含まれる複数の電極、および前記第２電極群に含まれる複数の電極についての電極間静電容量の変化パターンに基づいて、車載用アクセサリ機器を制御する制御部と、を備えることを特徴とする。
【０００９】
本発明は、第１方向について目標物の位置を検出するための第１電極群と、前記第１方向と交差する第２方向について目標物の位置を検出するための第２電極群と、一方の板面側に前記第１電極群が配置され、他方の板面側に前記第２電極群が配置された弾力性のある板状部材と、を備え、前記第１電極群および前記第２電極群は、前記板状部材と共に変形自在であり、前記第１電極群に含まれる電極と、前記第２電極群に含まれる電極との間の距離が、前記板状部材の変形によって変化する。
【００１０】
望ましくは、前記第１電極群に含まれる複数の電極、および前記第２電極群に含まれる複数の電極についての電極間静電容量の変化パターンに基づいて車載用アクセサリ機器を制御する制御部を備える。
【発明の効果】
【００１１】
本発明によれば、目標物の位置に加えて目標物の接触状態を検出することができる。
【図面の簡単な説明】
【００１２】
【図１】アクセサリ制御装置の斜視図である。
【図２】アクセサリ制御装置の分解斜視図である。
【図３】ｘ座標ライン電極群を示す図である。
【図４】ｙ座標ライン電極群を示す図である。
【図５】ｘ座標ライン電極群およびｙ座標ライン電極群を重ねて示した模式図である。
【図６】タッチセンサおよびディスプレイの断面を示す図である。
【図７】単純接触状態を規定する容量変化パターンの例を示す図である。
【図８】指押下状態を規定する容量変化パターンの例を示す図である。
【図９】棒押下状態を規定する容量変化パターンの例を示す図である。
【発明を実施するための形態】
【００１３】
図１には、車両に搭載されるアクセサリ制御装置１０の斜視図が示されている。アクセサリ制御装置１０は、例えば、車室のコンソールに取り付けられる。図１のｘ軸正方向は、車室からアクセサリ制御装置１０に向かって右方向に対応する。ｙ軸正方向は上方向に対応し、ｚ軸正方向はアクセサリ制御装置１０から車室に向かう方向に対応する。以下の説明では、アクセサリ制御装置１０から車室に向かう方向を前方とし、車室からアクセサリ制御装置１０に向かう方向を後方とする。
【００１４】
アクセサリ制御装置１０は、本体ケース１２、フレーム２０およびタッチセンサ１４を備えている。本体ケース１２の形状は、自動車への実装状態、本体ケース１２内部に収容される部品の配置等に応じて、例えば、直方体形状の一部を変形させた形状とする。図１に示されている例では、車室側を見て右後方の角を四角柱状に欠損させた形状を有している。フレーム２０は本体ケース１２の前方の縁に固定され、タッチセンサ１４はフレーム２０の内側に固定されている。タッチセンサ１４にユーザの指が触れることでアクセサリ機器の操作が行われる。
【００１５】
図２には、アクセサリ制御装置１０の分解斜視図が示されている。本体ケース１２の前方の開口にはディスプレイ２２が固定されている。タッチセンサ１４は、表パネル１５、固定シート１７および裏パネル１６を備え、これらの部材が重ねられることで構成される。表パネル１５、固定シート１７および裏パネル１６は、透明または半透明である。表パネル１５の裏側には電極群が配置されており、電極群に接続されたケーブル群１８が下方に引き出されている。裏パネル１６の表側には電極群が配置されており、電極群に接続されたケーブル群１９が下方に引き出されている。ケーブル群１８および１９は、後方に折り曲げられた上で本体ケース１２内に収容される。タッチセンサ１４は、フレーム２０前方の枠内に固定される。フレーム２０は本体ケース１２の前方の縁に固定され、ディスプレイ２２がタッチセンサ１４に覆われる。
【００１６】
図３には、表パネル１５の後面に配置されたｘ座標ライン電極Ｘ１〜Ｘ１９が示されている。ただし、図３には、表パネル１５を透かしてｘ座標ライン電極Ｘ１〜Ｘ１９を前面から見た状態が示されている。表パネル１５および各ｘ座標ライン電極は透明または半透明である。表パネル１５は、弾力性のあるプラスチック樹脂等の材料によって形成されている。各ｘ座標ライン電極は、ＩＴＯ（Indium Tin Oxide）等の導体によって形成されている。各ｘ座標ライン電極は、スパッタリング、蒸着、印刷等の工法で表パネル１５の後面に固定されてもよい。各ｘ座標ライン電極は、縦方向に配列された複数のｘ電極片２４を備えている。複数のｘ電極片２４は、直線状のｘ電極接続パターン２６によって直列接続されている。複数のｘ電極片２４およびこれらを直列接続する各ｘ電極接続パターン２６が、縦方向に延伸するｘ座標ライン電極を形成している。本実施形態では、各ｘ座標ライン電極は１１個のｘ電極片２４を備えている。ｘ座標ライン電極Ｘ１〜Ｘ１９は、延伸方向を縦方向に揃えて横方向に配列されている。ｘ座標ライン電極Ｘ１〜Ｘ１９のｘ座標値は、それぞれｘ１〜ｘ１９である。ｘ座標ライン電極Ｘ１〜Ｘ１９のそれぞれにはケーブルが接続され、このケーブル群がアクセサリ制御装置に搭載された制御回路に接続されている。
【００１７】
図４には、裏パネル１６の前面に配置されたｙ座標ライン電極Ｙ１〜Ｙ１０が示されている。裏パネル１６は、弾力性のあるプラスチック樹脂等の材料によって形成されている。各ｙ座標ライン電極は透明または半透明であり、ＩＴＯ等の導体によって形成されている。各ｙ座標電極は、スパッタリング、蒸着、印刷等の工法で裏パネル１６の前面に固定されてもよい。各ｙ座標ライン電極は、横方向に配列された複数のｙ電極片２８を備えている。複数のｙ電極片２８は、直線状のｙ電極接続パターン３０によって直列接続されている。複数のｙ電極片２８およびこれらを直列接続する各ｙ電極接続パターン３０が、横方向に延伸するｙ座標ライン電極を形成する。本実施形態では、各ｙ座標ライン電極は２０個のｙ電極片２８を備える。ｙ座標ライン電極Ｙ１〜Ｙ１０は、延伸方向を横方向に揃えて縦方向に配列されている。ｙ座標ライン電極Ｙ１〜Ｙ１０のｙ座標値は、それぞれｙ１〜ｙ１０である。ｙ座標ライン電極Ｙ１〜Ｙ１０のそれぞれにはケーブルが接続され、このケーブル群が、上述の制御回路に接続されている。
【００１８】
ｘ座標ライン電極Ｘ１〜Ｘ１９に属する各ｘ電極片２４は、固定シート１７を挟んでｙ座標ライン電極Ｙ１〜Ｙ１０の隙間に対向し、ｙ座標ライン電極Ｙ１〜Ｙ１０に属する各ｙ電極片２８は、固定シート１７を挟んでｘ座標ライン電極Ｘ１〜Ｘ１９の隙間に対向する。また、各ｘ電極接続パターン２６には、各ｘ電極接続パターン２６に対応するｙ電極接続パターン３０が交差し、各ｙ電極接続パターン３０には、各ｙ電極接続パターン３０に対応するｘ電極接続パターン２６が交差する。
【００１９】
このように、タッチセンサ１４は、ｘ軸方向（第１方向）についてユーザの指等の目標物の位置を検出するための第１電極群として、ｘ座標ライン電極Ｘ１〜Ｘ１９を表パネル１５の後面（固定シート１７の表側）に備えている。また、タッチセンサ１４は、ｘ軸方向と交差するｙ軸方向（第２方向）について目標物の位置を検出するための第２電極群として、ｙ座標ライン電極Ｙ１〜Ｙ１０を裏パネル１６の前面（固定シート１７の裏側）に備えている。これによって、板状部材としての固定シート１７と、固定シート１７の一方の板面側に配置された第１電極群と、固定シート１７の他方の板面側に配置された第２電極群とを備えるタッチセンサ１４が形成されている。
【００２０】
図５には、ｘ座標ライン電極群およびｙ座標ライン電極群を重ねて示した模式図が示されている。説明の便宜上、ｘ座標ライン電極はＸ１〜Ｘ８の８本とし、ｙ座標ライン電極はＹ１〜Ｙ８の８本としている。例えば、ユーザの指がタッチセンサの前面に接触すると、ｘ座標ライン電極Ｘ１〜Ｘ８のうちユーザの指に近いものと、ｙ座標ライン電極Ｙ１〜Ｙ８のうちユーザの指に近いものとの間の静電容量が変化する。
【００２１】
図５には、電極間の静電容量の変化が検出される検出領域の区画が破線によって示されている。各検出領域には、ｘ座標ライン電極のｘ座標値とｙ座標ライン電極のｙ座標値が位置座標として割り当てられている。制御回路３２は、アクセサリ機器３６を制御する制御部としての機能を有し、所定のプログラムを実行するプロセッサ等によって構成されている。制御回路３２は、ｘ座標ライン電極Ｘ１〜Ｘ８と、ｙ座標ライン電極Ｙ１〜Ｙ８との各組み合わせについて電極間の静電容量の変化を検出する。そして、各組み合わせに対応する検出領域と、電極間の静電容量の変化値とに応じてアクセサリ機器３６を制御する。
【００２２】
各検出領域における電極間容量の変化値に基づきアクセサリ機器３６を制御することで、制御回路３２は、次の（１）〜（３）に示される状態に応じたアクセサリ機器３６の制御を行う。
【００２３】
（１）制御回路３２は、ユーザの指がタッチセンサに単に接触した状態における、指の接触位置に応じてアクセサリ機器３６を制御する。以下、このような状態を単純接触状態という。
【００２４】
（２）また、制御回路３２は、ユーザの指がタッチセンサに接触し、さらにユーザの指がタッチセンサに圧力を加えた状態における指の接触位置に応じてアクセサリ機器３６を制御する。以下、このような状態を指押下状態という。
【００２５】
（３）さらに、制御回路３２は、アクセサリ制御装置を操作するための操作棒がタッチセンサに接触し、さらに操作棒がタッチセンサに圧力を加えた状態における操作棒の接触位置に応じてアクセサリ機器３６を制御する。以下、このような状態を棒押下状態という。なお、操作棒には指よりも誘電率が小さい材料が用いられる。このような材料には、木材、紙等、比誘電率が１に近い材料がある。
【００２６】
制御回路３２が、単純接触状態、指押下状態および棒押下状態のうちいずれかの状態を検出すると共に、ユーザの指または操作棒の接触位置を検出する原理について説明する。図６には、タッチセンサ１４およびディスプレイ２２の断面が示されている。タッチセンサ１４は、表パネル１５、固定シート１７および裏パネル１６が重ねられた構造を有する。表パネル１５、固定シート１７および裏パネル１６は弾力性のある材料で形成されている。固定シート１７は、曲げ方向のみならず厚み方向にも弾力性がある材料で形成される。また、固定シート１７は、表パネル１５と裏パネル１６とを接合する接着部材であってもよい。このような接着部材には、透明光学粘着フィルム（ＯＣＡ：Optically Clear Adhesive）等がある。
【００２７】
図６（ａ）には単純接触状態での断面図が示されている。この状態では、指４４の近傍で交差するｘ座標ライン電極Ｘｎとｙ座標ライン電極Ｙｍとの間の静電容量が指４４の接近によって変化する。
【００２８】
図６（ｂ）には指押下状態での断面図が示されている。ｘ座標ライン電極Ｘｎは表パネル１５と共に変形自在である。指押下状態では、指４４から与えられた圧力によって表パネル１５およびｘ座標ライン電極Ｘｎが後方に凹み、さらには、固定シート１７が薄くなる。これによって、指４４の近傍のｘ座標ライン電極Ｘｎとｙ座標ライン電極Ｙｍとの間の静電容量が変化する他、その周辺のｘ座標ライン電極とｙ座標ライン電極との間の静電容量が変化する。このように、指押下状態では、ユーザの指の接近の他、電極間の距離の変化によって電極間容量が変化する。
【００２９】
なお、棒押下状態は、図６（ｂ）に示された指４４が操作棒に置き換えられたものとなる。操作棒の誘電率は指の誘電率よりも小さいため、操作棒による電極間容量の変化は、指による電極間容量の変化よりも小さい。
【００３０】
図７には、単純接触状態における容量変化パターンの例が示されている。この容量変化パターンは、隣接するｘ座標ライン電極間の距離、および隣接するｙ座標ライン電極間の距離が等しくｄである場合のものである。
【００３１】
容量変化パターンでは、各検出領域における電極間容量の変化値（以下、容量変化値という。）の範囲が規定されている。図７では、各検出領域が、極小変化領域Ｒ０、第１変化領域Ｒ１〜第４変化領域Ｒ４のいずれの領域であるかが、塗りつぶしによって区別されている。
【００３２】
極小変化領域Ｒ０は、容量変化値Ｃが棒押下閾値Ｔ０未満の領域である。第１変化領域Ｒ１は、容量変化値Ｃが棒押下閾値Ｔ０以上、かつ、指接触閾値Ｔ１未満の検出領域である。第２変化領域Ｒ２は、容量変化値Ｃが棒押下閾値Ｔ０以上、かつ、指接触閾値Ｔ１未満の検出領域のうち、容量変化値Ｃが最大となる検出領域である。第３変化領域Ｒ３は、容量変化値Ｃが指接触閾値Ｔ１以上の検出領域である。第４変化領域Ｒ４は、容量変化値Ｃが指接触閾値Ｔ１以上の検出領域のうち、容量変化値Ｃが最大となる検出領域である。
【００３３】
ここで、棒押下閾値Ｔ０は、操作棒がタッチセンサに接触し、タッチセンサに圧力を与えたときの容量変化値の最小値である。指接触閾値Ｔ１は、指がタッチセンサに単に接触したときの容量変化値の最小値である。指接触閾値Ｔ１は棒押下閾値Ｔ０よりも大きい。棒押下閾値Ｔ０および指接触閾値Ｔ１は、実験やシミュレーションに基づいて定められてもよい。
【００３４】
図７の右側に示されているように、極小変化領域Ｒ０には塗りつぶしが施されていない。そして、第１変化領域Ｒ１〜第４変化領域Ｒ４については、容量変化値Ｃが大きい検出領域である程、濃い塗りつぶしが施されている。
【００３５】
単純接触状態では、指の接触位置における容量変化値が、棒押下状態での操作棒の接触位置における容量変化値よりも大きい。指の影響は接触位置の周辺に及ぶものの、接触位置に対応する検出領域の周辺の検出領域では、接触位置に対応する検出領域に比べて容量変化値は小さい。すなわち、接触位置に対応する検出領域では容量変化値が最大となる。指の影響はタッチパネル全体には及ばず、接触位置よりある程度離れた各検出領域では、容量変化値は棒押下閾値Ｔ０よりも小さくなる。
【００３６】
図７に示される容量変化パターンでは、検出領域（ｘ４，ｙ５）に対応するタッチセンサ上の位置にユーザの指が接触した単純接触状態について、各検出領域における容量変化値の範囲が示されている。検出領域（ｘ４，ｙ５）は第４変化領域Ｒ４となる。検出領域（ｘ４，ｙ５）からの距離がｄ以下である各検出領域は、検出領域（ｘ４，ｙ５）を除いて第３変化領域Ｒ３となる。検出領域（ｘ４，ｙ５）からの距離がｄを超え、かつ２ｄ以下である各検出領域は、第１変化領域Ｒ１となる。その他の検出領域は極小変化領域Ｒ０となる。
【００３７】
図８には、指押下状態を規定する容量変化パターンの例が示されている。指押下状態では、指の接触位置における容量変化値が、棒押下状態での操作棒の接触位置における容量変化値よりも大きい。指の影響は、接触位置の周辺に及ぶものの、接触位置に対応する検出領域の周辺の検出領域では、接触位置に対応する検出領域に比べて容量変化値は小さい。すなわち、接触位置に対応する検出領域では容量変化値が最大となる。また、指がタッチセンサに圧力を与えているため、接触位置を中心とする広い範囲に亘って指の影響が及ぶ。したがって、指の接触位置に対応する検出領域の周辺の広い範囲に亘る各検出領域において容量変化値が指接触閾値Ｔ１以上となる。そして、容量変化値が指接触閾値Ｔ１以上となる検出領域の外側では、容量変化値が棒押下閾値Ｔ０以上、かつ、指接触閾値Ｔ１未満となる。
【００３８】
図８に示される容量変化パターンでは、検出領域（ｘ４，ｙ５）に対応するタッチセンサ上の位置でユーザの指がタッチセンサに圧力を加えた指押下状態について、各検出領域における容量変化値の範囲が示されている。検出領域（ｘ４，ｙ５）は第４変化領域Ｒ４となる。検出領域（ｘ４，ｙ５）からの距離が２ｄ以下である各検出領域は、検出領域（ｘ４，ｙ５）を除いて第３変化領域Ｒ３となる。その他の検出領域は第１変化領域Ｒ１となる。
【００３９】
図９には、棒押下状態を規定する容量変化パターンの例が示されている。棒押下状態では、操作棒の接触位置における容量変化値が、指接触状態での指の接触位置における容量変化値よりも小さい。そして、操作棒の接触位置に対応する検出領域の容量変化値は、その周辺の検出領域の容量変化値よりも大きくなる。すなわち、接触位置に対応する検出領域では容量変化値が最大となる。操作棒はタッチセンサに圧力を与えているため、操作棒の接触位置を中心とする広い範囲に亘る各検出領域において電極間容量が微小変化し、容量変化値が棒押下閾値Ｔ０以上、かつ、指接触閾値Ｔ１未満となる。
【００４０】
図９に示される容量変化パターンでは、検出領域（ｘ４，ｙ５）に対応するタッチセンサ上の位置で操作棒によってタッチセンサに圧力が加えられた棒押下状態について、各検出領域における容量変化値の範囲が示されている。検出領域（ｘ４，ｙ５）は第２変化領域Ｒ２となる。その他の検出領域は、第１変化領域Ｒ１となる。
【００４１】
図５に戻ってアクセサリ制御装置の動作について説明する。パターン記憶部３８には、総ての検出領域（ｘｎ，ｙｍ）（ｎ＝１〜８，ｍ＝１〜８）のそれぞれについて、単純接触状態を検出するための容量変化パターン、指押下状態を検出するための容量変化パターン、および棒押下状態を検出するための容量変化パターンが記憶されている。
【００４２】
制御回路３２は、各検出領域の容量変化値を検出し、ｘｙ平面上での容量変化値の分布を表す容量変化値ｘｙ分布を求める。制御回路３２は、パターン記憶部３８を参照し、予め記憶された複数の容量変化パターンの中から、自らが求めた容量変化値ｘｙ分布が当てはまる容量変化パターンを選択する。そして、選択された容量変化パターンに基づいて、単純接触状態、指押下状態および棒押下状態のうちいずれかの状態を検出すると共に、ユーザの指または操作棒の接触位置を検出する。さらに、制御回路３２は、検出された接触位置および状態に応じた機能をアクセサリ機器３６に実行させる。
【００４３】
検出された状態が単純接触状態である場合、制御回路３２は、次のような制御を行ってもよい。アクセサリ機器３６がエアコンディショナである場合、制御回路３２は、指の接触位置の位置座標に応じて送風レベル、温度等を制御してもよい。また、アクセサリ機器３６がオーディオ装置である場合、制御回路３２は、指の接触位置の位置座標に応じて音量、音質等を制御してもよい。さらに、指の動きに応じたアクセサリ機器３６の制御を行ってもよい。例えば、指がタッチセンサ上で円形を描くように動かされた場合、指の接触位置の位置座標が指の動きに応じて変化する。制御回路３２は、指の接触位置の位置座標の変化が示す回転方向に応じて、エアコンディショナの温度調整や、オーディオ機器の音量調整を行ってもよい。
【００４４】
検出された状態が指押下状態または棒押下状態である場合は、制御回路３２は、次のような制御を行ってもよい。制御回路３２は、ディスプレイに表示されたボタン、アイコン等の選択マークに対応する位置が接触位置である場合、その選択マークに応じた機能をアクセサリ機器３６に実行させる処理を実行してもよい。また、制御回路３２は、同一の選択マークに対し、検出された状態が指押下状態であるか棒押下状態であるかに応じて、異なる機能をアクセサリ機器３６に実行させてもよい。
【００４５】
このように、本発明に係るアクセサリ制御装置は、単純接触状態の他、指押下状態および棒押下状態を検出すると共に、ユーザの指または操作棒の接触位置を検出し、検出された状態および接触位置に応じてアクセサリ機器を制御する。したがって、単純接触状態下での接触位置のみを検出する場合に比べて、アクセサリ機器に対する多様な制御が可能となる。すなわち、本発明に係るアクセサリ制御装置によれば、指や操作棒等の目標物の位置に加えて、目標物の接触状態を検出することで、車載用機器に対する制御の多様性が高まる。
【符号の説明】
【００４６】
１０  アクセサリ制御装置、１２  本体ケース、１４  タッチセンサ、１５  表パネル、１６  裏パネル、１７  固定シート、１８，１９  ケーブル群、２０  フレーム、２２  ディスプレイ、２４  ｘ電極片、２６  ｘ電極接続パターン、２８  ｙ電極片、３０  ｙ電極接続パターン、３２  制御回路、３６  アクセサリ機器、３８  パターン記憶部、４４  指、Ｘ１〜Ｘ１９  ｘ座標ライン電極、Ｙ１〜Ｙ１０  ｙ座標ライン電極。
【図１】
2017151531.tif 000003
【図２】
2017151531.tif 000004
【図３】
2017151531.tif 000005
【図４】
2017151531.tif 000006
【図５】
2017151531.tif 000007
【図６】
2017151531.tif 000008
【図７】
2017151531.tif 000009
【図８】
2017151531.tif 000010
【図９】
2017151531.tif 000011